(57)【要約】【課題】有価証券のオンライン取引に関わる作業を簡略化し、オンライン取引に関わる作業時間を大幅に短縮し得る新規な有価証券発注方法を提供すること。【解決手段】ユーザ端末により実行される有価証券のオンライン取引を行う有価証券発注方法であって、少なくとも注文用アイコンを有するベースウィンドウを表示するベースウィンドウ表示ステップと、前記ベースウィンドウ上に、銘柄情報を有するウェブサイトを表示するウェブサイト表示ステップと、前記ウェブサイトから、任意の銘柄情報を、前記ベースウィンドウが有する前記注文用アイコンを介して選択する銘柄情報選択ステップと、前記銘柄情報を解析して数字コードを抽出する数字コード抽出ステップと、前記数字コードを、発注先へネットワークを介して転送する数字コード転送ステップと、を少なくとも行う有価証券発注方法を提供する。【選択図】図８
2010009162.tif 000002
【特許請求の範囲】
【請求項１】
ユーザ端末により実行される有価証券のオンライン取引を行う有価証券発注方法であって、
少なくとも前記オンライン取引を行うための注文用アイコンを有するベースウィンドウを、前記ユーザ端末に表示するベースウィンドウ表示ステップと、
該ベースウィンドウ表示ステップによって表示された前記ベースウィンドウ上に、銘柄情報を有するウェブサイトを表示するウェブサイト表示ステップと、
該ウェブサイト表示ステップによって表示されたウェブサイトから、任意の銘柄情報を、前記ベースウィンドウが有する前記注文用アイコンを介して選択する銘柄情報選択ステップと、
該銘柄情報選択ステップによって選択された任意の銘柄情報を解析して４桁又は５桁の数字コードを抽出する数字コード抽出ステップ と、
該数字コード抽出ステップによって抽出した４桁又は５桁の数字コードを、発注先へネットワークを介して転送する数字コード転送ステップと、
を少なくとも行う有価証券発注方法。
【請求項２】
前記銘柄情報選択ステップでは、前記ウェブサイト内に表示された前記銘柄情報の前記発注用アイコンへのドラッグアンドドロップ処理により、任意の前記銘柄情報が選択される請求項１記載の有価証券発注方法。
【請求項３】
前記数字コード抽出ステップでは、前記銘柄情報選択ステップによって選択された任意の銘柄情報中のリンク情報に含まれる各種パラメータを解析することにより４桁又は５桁の数字コードを抽出する請求項１または２に記載の有価証券発注方法。
【請求項４】
ユーザ端末により実行される有価証券のオンライン取引を行うための有価証券発注プログラムであって、
少なくとも前記オンライン取引を行うための注文用アイコンを有するベースウィンドウを、前記ユーザ端末に表示させるベースウィンドウ表示機能と、
該ベースウィンドウ表示機能によって表示された前記ベースウィンドウ上に、銘柄情報を有するウェブサイトを表示させるウェブサイト表示機能と、
該ウェブサイト表示機能によって表示された前記ウェブサイトから、任意の銘柄情報を、前記ベースウィンドウが有する前記注文用アイコンを介して選択可能とする機能と、
ユーザによって選択された任意の銘柄情報を解析して４桁又は５桁の数字コードを抽出する数字コード抽出機能と、
該数字コード抽出機能によって抽出した４桁又は５桁の数字コードを、発注先へネットワークを介して転送する数字コード転送機能と、
をコンピュータによって実現させるための有価証券発注プログラム。
【請求項５】
ユーザが操作するユーザ端末と、
該ユーザ端末とネットワークを介して接続されたサーバと、
を備えるコンピュータシステムによって、有価証券のオンライン取引を行う有価証券取引方法であって、
少なくとも前記オンライン取引を行うための注文用アイコンを有するベースウィンドウを、前記ユーザ端末に表示するベースウィンドウ表示ステップと、
該ベースウィンドウ表示ステップによって表示された前記ベースウィンドウ上に、銘柄情報を有するウェブサイトを表示するウェブサイト表示ステップと、
該ウェブサイト表示ステップにおいて表示された前記ウェブサイトから、任意の銘柄情報を、前記ベースウィンドウが有する前記注文用アイコンを介して選択する銘柄情報選択ステップと、
該銘柄情報選択ステップにおいて選択された任意の銘柄情報を解析して４桁又は５桁の数字コードを抽出する数字コード抽出ステップと、
該数字コード抽出ステップにおいて抽出した４桁又は５桁の数字コードを、前記サーバへネットワークを介して転送する数字コード転送ステップと、
を少なくともユーザ端末で行い、
前記数字コード転送ステップにおいて転送された４桁又は５桁の数字コードを前記サーバによって受信する数字コード受信ステップと、
該数字コード受信ステップにおいて受信した４桁又は５桁の数字コードと、サーバ上の銘柄コードを含む有価証券情報を有するデータベース内の銘柄コードと、をマッチングするマッチングステップと、
該マッチングステップによってマッチングできなかった場合は、エラーを前記ユーザ端末にネットワークを介して送信するエラー送信ステップと、
前記マッチングステップにおいてマッチングできた場合は、マッチングした銘柄コードに基づいて前記データベースから有価証券情報を取得する有価証券情報取得ステップと、
該有価証券情報取得ステップにおいて取得した有価証券情報に関し、現在の株価情報をネットワークを介して情報ベンダーより取得する株価情報取得ステップと、
該株価情報取得ステップにおいて取得した株価情報と前記有価証券情報を、前記ユーザ端末にネットワークを介して送信する有価証券情報送信ステップと、
を少なくともサーバで行う有価証券取引方法。
【発明の詳細な説明】
【技術分野】
【０００１】
本発明は、有価証券のオンライン取引を行う有価証券発注方法に関する。より詳しくは、オンライン取引のための作業負担を大幅に軽減し得る有価証券発注方法、有価証券発注プログラム、並びに有価証券取引方法に関する。
【背景技術】
【０００２】
近年、有価証券の売買取引は、インターネットを通じてオンラインで行うことが一般的に行われている。具体的には、投資家がインターネットを通じて証券会社のウェブサイトにアクセスし、証券会社のウェブサイト上の各種情報を吟味した上で、証券会社のウェブサイトを介して有価証券の売買取引を行う。
【０００３】
各証券会社のウェブページでは、投資家が求める情報をより分かり易く掲載したり、売買取引方法を工夫して投資家の利便性を向上させたり、手数料等で差別化したりすることにより、ユーザ獲得を競っている。
【０００４】
有価証券のオンライン取引に関しては、様々な方法が開発されつつあるが、例えば、特許文献１では、時間優先の原則が適用される市場が取引相手となる委託注文を受けてから発注するまでの発注制限時間よりも、証券会社との相対取引となる仕切注文を受けてから発注するまでの発注制限時間を長く設定することで、仕切注文の注文内容を確認して認可する注文管理者の認可作業時間及び／又は認可された仕切注文を発注する注文発注者の発注作業時間を長くとることができ、注文管理者及び／又は注文発注者による仕切注文の作業負担の軽減を図ることができる売買注文管理装置が開示されている。
【０００５】
特許文献２では、株式ごとに該株式を対象とした損失限定オプションについて前記投資家が所望する権利行使価格及び権利行使期間を指定する条件受付手段と、前記条件受付手段において指定された条件を用いて前記損失限定オプションのプレミアムを算出するプレミアム算出手段と、前記投資家に前記プレミアムを提示するとともに前記投資家から前記損失限定オプションの設定指示を受け付け該損失限定オプションの設定を行う設定手段と、前記損失限定オプションの付加された株式を前記権利行使価格で取引するとともに前記投資家に対し該株式の取引に伴う原資産の受け渡しを行う権利行使手段を有するように構成することにより、想定外の価格変動による損失リスクを一定の限度内に抑えることができ、長期的な投資に対応でき、損失限定オプションを所望の銘柄に設定し、株式とともにその損失限定オプションを管理する株式管理取引システムが開示されている。
【０００６】
特許文献３には、重大ニュースや決算の発表などによる株価の急激な変動に備えて、変動が予想される銘柄を、あらかじめ一時的に記憶する注文籠を設ける等の工夫をすることにより、オンライントレードにおける投資家の売買注文の作業負荷を軽減するとともに、より短時間での売買注文を実現し、投資家の利便性を向上することを可能にしたオンライントレードにおける取引システムが開示されている。
【０００７】
特許文献４には、変動時刻を検出する変動時刻検出部と、売買注文格納部に格納された売買注文情報から所定の変動があった売買時刻を売買者ＩＤに対応付けて特定する売買時刻特定部と、変動時刻と売買時刻との時間差を示す時間差情報を生成する時間差情報生成部と、危険度情報を生成し管理者端末に送信する危険度情報生成部とを有するサーバーを備えることにより、有価証券の売買をした後にその取引がインサイダー取引に該当するか否かをより合理的に判定することができる有価証券取引システムが開示されている。
【０００８】
このように、各証券会社の有価証券取引システムでは、種々の工夫が凝らされているが、具体的な発注方法は、取引を行う証券会社のウェブサイトを立ち上げ、このウェブサイト内で銘柄一覧等を表示させ、銘柄一覧等から目的の銘柄を決定することで、各証券会社のウェブサイト上からオンライン取引を行う方法が一般的である。
【０００９】
【特許文献１】特開２００８−３３５５２号公報
【特許文献２】特開２００７−２９９１８１号公報
【特許文献３】特開２００７−２７９８１０号公報
【特許文献４】特開２００７−２７２７０３号公報
【発明の開示】
【発明が解決しようとする課題】
【００１０】
ところで、インターネットが普及した現在では、多くの投資家は、様々な証券会社等のウェブサイトから様々な情報を入手した上で、取引を行う銘柄を決定することがほとんどであるが、時には、情報入手するためのウェブサイトと、実際に取引を行うウェブサイトが異なる場合もある。例えば、各種マーケット情報の提供を行ってはいるが実際のオンライン取引機能を有していないウェブサイトで情報入手を行い、実際の取引は証券会社のウェブサイトで行ったり、ある証券会社のウェブサイトは情報量が多いために、情報入手の際には用いるが、実際の取引は、他の証券会社のウェブサイトで行ったりする場合が多いのも実情である。
【００１１】
このような場合、情報を入手するためのウェブサイト上に銘柄情報が表示されているにも関わらず、このウェブサイトとは別に、取引を行うための証券会社等のウェブサイトを立ち上げ、取引用のウェブサイトで目的の銘柄情報を再度呼び出した上で、このサイトのオンライン取引機能を利用して、実際の取引を行う必要があった。
【００１２】
しかし、有価証券は、通常の商品と異なり、刻々と株価が変動するものであり、情報入手から実際の発注までの時間を如何に短縮できるかが、大変重要である。
【００１３】
そこで、本発明では、有価証券のオンライン取引に関わる作業を簡略化し、オンライン取引に関わる作業時間を大幅に短縮し得る新規な有価証券発注方法を提供することを主目的とする。
【課題を解決するための手段】
【００１４】
本願発明者らは、前記課題を解決するために鋭意研究した結果、情報入手のみを目的とするウェブサイト上の銘柄情報を用いて、独自の注文を行うことができる新規技術を見出し、本発明を完成させるに至った。
【００１５】
即ち、本発明では、まず、ユーザ端末により実行される有価証券のオンライン取引を行う有価証券発注方法であって、
少なくとも前記オンライン取引を行うための注文用アイコンを有するベースウィンドウを、前記ユーザ端末に表示するベースウィンドウ表示ステップと、
該ベースウィンドウ表示ステップによって表示された前記ベースウィンドウ上に、銘柄情報を有するウェブサイトを表示するウェブサイト表示ステップと、
該ウェブサイト表示ステップによって表示された前記ウェブサイトから、任意の銘柄情報を、前記ベースウィンドウが有する前記注文用アイコンを介して選択する銘柄情報選択ステップと、
該銘柄情報選択ステップによって選択された任意の銘柄情報を解析して４桁又は５桁の数字コードを抽出する数字コード抽出ステップと、
該数字コード抽出ステップによって抽出した４桁又は５桁の数字コードを、発注先へネットワークを介して転送する数字コード転送ステップと、
を少なくとも行う有価証券発注方法を提供する。
前記銘柄情報選択ステップでは、任意のウェブサイトにおける任意の銘柄情報を、前記ベースウィンドウが有する前記注文用アイコンを介して選択することができれば、その具体的方法は特に限定されないが、一例としては、前記ウェブサイト内に表示された前記銘柄情報の前記発注用アイコンへのドラッグアンドドロップ処理により、任意の前記銘柄情報を選択する方法を採用してもよい。
また、前記数字コード抽出手段では、前記銘柄情報選択ステップによって選択された任意の銘柄情報を解析して４桁又は５桁の数字コードを抽出できれば、その具体的方法は特に限定されないが、一例としては、前記銘柄情報選択ステップによって選択された任意の銘柄情報中のリンク情報に含まれる各種パラメータを解析することにより４桁又は５桁の数字コードを抽出する方法を採用することができる。
【００１６】
本発明では、次に、ユーザ端末により実行される有価証券のオンライン取引を行うための有価証券発注プログラムであって、
少なくとも前記オンライン取引を行うための注文用アイコンを有するベースウィンドウを、前記ユーザ端末に表示させるベースウィンドウ表示機能と、
該ベースウィンドウ表示機能によって表示された前記ベースウィンドウ上に、銘柄情報を有するウェブサイトを表示させるウェブサイト表示機能と、
該ウェブサイト表示機能によって表示された前記ウェブサイトから、任意の銘柄情報を、前記ベースウィンドウが有する前記注文用アイコンを介して選択可能とする機能と、
ユーザによって選択された任意の銘柄情報を解析して４桁又は５桁の数字コードを抽出する数字コード抽出機能と、
該数字コード抽出機能によって抽出した４桁又は５桁の数字コードを、発注先へネットワークを介して転送する数字コード転送機能と、
をコンピュータによって実現させるための有価証券発注プログラムを提供する。
【００１７】
本発明では、更に、ユーザが操作するユーザ端末と、
該ユーザ端末とネットワークを介して接続されたサーバと、
を備えるコンピュータシステムによって、有価証券のオンライン取引を行う有価証券取引方法であって、
少なくとも前記オンライン取引を行うための注文用アイコンを有するベースウィンドウを、前記ユーザ端末に表示するベースウィンドウ表示ステップと、
該ベースウィンドウ表示ステップによって表示された前記ベースウィンドウ上に、銘柄情報を有するウェブサイトを表示するウェブサイト表示ステップと、
該ウェブサイト表示ステップにおいて表示された前記ウェブサイトから、任意の銘柄情報を、前記ベースウィンドウが有する前記注文用アイコンを介して選択する銘柄情報選択ステップと、
該銘柄情報選択ステップにおいて選択された任意の銘柄情報を解析して４桁又は５桁の数字コードを抽出する数字コード抽出ステップと、
該数字コード抽出ステップにおいて抽出した４桁又は５桁の数字コードを、前記サーバへネットワークを介して転送する数字コード転送ステップと、
を少なくともユーザ端末で行い、
前記数字コード転送ステップにおいて転送された４桁又は５桁のコードを前記サーバによって受信する数字コード受信ステップと、
該数字コード受信ステップにおいて受信した４桁又は５桁の数字コードと、サーバ上の銘柄コードを含む有価証券情報を有するデータベース内の銘柄コードと、をマッチングするマッチングステップと、
該マッチングステップによってマッチングできなかった場合は、エラーを前記ユーザ端末にネットワークを介して送信するエラー送信ステップと、
前記マッチングステップにおいてマッチングできた場合は、マッチングした銘柄コードに基づいて前記データベースから有価証券情報を取得する有価証券情報取得ステップと、
該有価証券情報取得ステップにおいて取得した有価証券情報に関し、現在の株価情報をネットワークを介して情報ベンダーより取得する株価情報取得ステップと、
該株価情報取得ステップにおいて取得した株価情報と前記有価証券情報を、前記ユーザ端末にネットワークを介して送信する有価証券情報送信ステップと、
を少なくともサーバで行う有価証券取引方法を提供する。
【発明の効果】
【００１８】
本発明に係る有価証券発注方法を用いれば、有価証券のオンライン取引に関わる作業が簡略化でき、オンライン取引に関わる作業時間を大幅に短縮することが可能である。
【発明を実施するための最良の形態】
【００１９】
以下、本発明を実施するための好適な形態について、図面を参照しながら説明する。なお、以下に説明する実施形態は、本発明の代表的な実施形態の一例を示したものであり、これにより本発明の範囲が狭く解釈されることはない。
【００２０】
＜有価証券発注方法＞
図１は、本発明に係る有価証券発注方法１のフロー図である。本発明に係る有価証券発注方法は、（１）ベースウィンドウ表示ステップ１１と、（２）ウェブサイト表示ステップ１２と、（３）銘柄情報選択ステップ１３と、（４）数字コード抽出ステップ１４と、（５）数字コード転送ステップ１５と、を少なくとも行う方法である。以下、それぞれのステップについて、詳細に説明する。
【００２１】
（１）ベースウィンドウ表示ステップ１１
ベースウィンドウ表示ステップ１１は、本発明に係る有価証券発注方法１を行うためにベースとなるウィンドウＢを、前記ユーザ端末に表示させるステップである。このベースウィンドウＢは、少なくともオンライン取引を行うための注文用アイコンＯを有する。ベースウィンドウＢの一例を図２に示す。
【００２２】
なお、本発明に係る有価証券発注方法１をコンピュータによって実現させるための後述するプログラムには、カレンダー形式等の自由に予定やメモを登録できるツールや、様々なＲＳＳ（RDF Site Summary）フィードを購読可能なツール等を備えることができるため、ベースウィンドウＢには、これらのツールを立ち上げるための各種アイコンＡを表示することも自由である。
【００２３】
（２）ウェブサイト表示ステップ１２
ウェブサイト表示ステップ１２は、ベースウィンドウ表示ステップ１１で表示させたベースウィンドウＢ上に、銘柄情報を有するウェブサイトＷ１を表示させるステップである。
【００２４】
ベースウィンドウＢ上に表示するウェブサイトＷ１は、銘柄コード又は銘柄名が表示されているウェブサイトであれば、特に限定されない。一例としては、刻々と変化する株価情報等を提供する各種マーケット情報サイトや、各証券会社のウェブサイトなどを挙げることができる。
【００２５】
ウェブサイト表示ステップ１２においてベースウィンドウＢ上に表示するウェブサイトは、図２に示すように単数のウェブサイトＷ１に限らず、例えば図３及び図４に示すように、複数のウェブサイトＷ１、Ｗ２、Ｗ３を同時に表示することも可能である。銘柄情報を有数する複数のウェブサイトＷ１、Ｗ２、Ｗ３等を表示させることにより、投資家は、より多くの情報を元に、取引銘柄を決定することが可能となる。
【００２６】
このウェブサイト表示ステップ１２は、ベースウィンドウ表示ステップ１１を経た後に行ってもよいが、後述するレイアウト保持ステップ１９により、お気に入りのウェブサイトや最後に表示したウェブサイトを記憶させておくことにより、ベースウィンドウ表示ステップ１１と同時に行うことも可能である。
【００２７】
なお、ベースウィンドウＢ上には、銘柄情報を有するウェブサイトＷ１のみならず、有価証券取引には関係のない任意の１又は２以上のウェブサイトｕ１ を、表示することも自由である。
【００２８】
（３）銘柄情報選択ステップ１３
銘柄情報選択ステップ１３は、ウェブサイト表示ステップ１２によって表示されたウェブサイトＷ１、Ｗ２、Ｗ３から、任意の銘柄情報を、ベースウィンドウＢが有する注文用アイコンＯを介して選択するステップである。
【００２９】
銘柄情報選択ステップ１３における銘柄情報の選択方法は、ベースウィンドウＢ上の注文用アイコンＯを介して選択する方法であれば、特に限定されない。一例としては、図５及び図６中の二重円で示すように、選択した銘柄情報をドラッグし、図７の二重円で示すように、注文アイコンＯ上にドロップする方法が挙げられる。
【００３０】
なお、図５〜７では、銘柄名の部分をドラッグアンドドロップしているが、ドラッグアンドドロップを行う対象は、銘柄コードであっても、銘柄名及び銘柄コードの両方であってもよい。また、銘柄名や銘柄コードにリンクがはられている場合には、リンク情報であってもよい。
【００３１】
その他、例えば、銘柄名又は銘柄コードをカーソル反転により選択した状態で、そのカーソルを、ベースウィンドウＢ上の注文用アイコンＯにドラッグアンドドロップする方法などを採用してもよい。また、ドラッグアンドドロップ処理による方法以外にも、銘柄名又は銘柄コードをカーソル反転により選択した状態で、ベースウィンドウＢ上の注文用アイコンＯをクリックする方法などを採用してもよい。 
【００３２】
従来、情報入手するためのウェブサイトと、実際に取引を行うウェブサイトが異なる場合、情報を入手するためのウェブサイト上に銘柄情報が表示されているにも関わらず、このウェブサイトとは別に、取引を行うための証券会社等のウェブサイトを立ち上げ、取引用のウェブサイトで目的の銘柄情報を再度表示させた上で、このサイトのオンライン取引機能を利用して、実際の取引を行う必要があった。
【００３３】
しかし、本発明に係る有価証券発注方法では、銘柄情報を表示させたウェブサイト上の機能ではなく、ベースウィンドウＢ上の注文用アイコンを介して発注を行う方法である。即ち、ウェブサイト上の銘柄情報を、ウェブサイトのウィンドウを越えて別のウィンドウ（ベースウィンドウ）の機能を用いて選択する方法である。そのため、銘柄情報を有するウェブサイトであれば、あらゆるウェブサイト上の銘柄情報を用いて、直接オンライン取引を行うことができ、オンライン取引に関わる作業が簡略化でき、オンライン取引に関わる作業時間を大幅に短縮することが可能である。
【００３４】
（４）数字コード抽出ステップ１４
数字コード抽出ステップ１４は、銘柄情報選択ステップ１３によって選択された任意の銘柄情報を解析して４桁又は５桁の数字コードを抽出するステップである。
【００３５】
数字コード抽出ステップ１４において抽出する４桁又は５桁の数字コードは、銘柄コードと擬制して次に行う数字コード転送ステップ１５で発注先に転送するコードではあるが、数字コード抽出ステップ１４においては、抽出する４桁又は５桁の数字コードが実際の銘柄コードに一致するか否かに関わらず、銘柄情報選択ステップ１３によって選択された任意の銘柄情報を解析して４桁又は５桁の数字コードを抽出する。
【００３６】
数字コード抽出ステップ１４における抽出方法は特に限定されないが、例えば、まず、銘柄情報選択ステップ１３において選択した銘柄情報が、銘柄コードであるか、銘柄名であるか、又はリンク情報であるかを解析する。この解析の結果、銘柄コードである場合には、この銘柄コードをそのまま４桁又は５桁の数字コードとして抽出し、リンク情報である場合には、リンク情報に含まれる各種パラメータを解析することにより４桁又は５桁の数字コードを抽出する方法を採用することができる。
【００３７】
この結果、銘柄名のみしか抽出できなかった場合には、例えば、外部の情報ベンダー等にネットワークを通してアクセスし、銘柄コードを取得したり、予め、銘柄名と銘柄コードを格納したデータベースをユーザ端末内に格納しておき、該データベースと照合することにより銘柄コードを取得したりすることにより、４桁又は５桁の数字コードを抽出することも可能である。
【００３８】
（５）数字コード転送ステップ１５
数字コード転送ステップ１５は、数字コード抽出ステップ１４によって抽出した４桁又は５桁の数字コードを、発注先へネットワークを介して転送するステップである。
【００３９】
４桁又は５桁の数字コードを発注先へ転送した後の発注先における処理方法は、本発明では、特に限定されないが、例えば、転送された４桁又は５桁の数字コードから、注文確認画面等を作成して発注元に送信し、これをユーザが確認した上で、注文を確定させるといった方法を採用することができる。
【００４０】
本発明に係る有価証券発注方法は、以上説明した（１）〜（５）のステップを少なくとも行う方法であるが、以下の（６）ログイン画面表示ステップ１６、（７）ログイン情報送信ステップ１７、（８）ログイン情報保持ステップ１８、（９）レイアウト保持ステップ１９、を必要に応じて自由に行うことも可能である。
【００４１】
（６）ログイン画面表示ステップ１６
本発明に係る有価証券発注方法１では、よりセキュリティを強化するために、ユーザ端末にログイン画面を表示するログイン画面表示ステップ１６を行うことができる。ログイン画面表示ステップ１６は、図１では、ベースウィンドウ表示ステップ１１を行う前に行っているが、ログイン画面表示ステップ１６を行う順番は特に限定されず、注文を確定させる前段階であれば、どの段階で行うことも自由である。セキュリティの問題を考慮すると、ベースウィンドウ表示ステップ１１を行う前か、少なくとも数字コード転送ステップ１５の前に行うことが好ましい。
【００４２】
（７）ログイン情報送信ステップ１７
本発明に係る有価証券発注方法１では、ユーザＩＤやパスワード等のログイン情報を発注先へネットワークを介して送信するログイン情報送信ステップ１７を行うこともできる。ログイン情報送信ステップ１７を行う順番も特に限定されず、ログイン画面表示ステップ１６を行い、ユーザによるユーザＩＤやパスワード等の入力が行われた後であれば、どの段階で行うことも自由である。
【００４３】
なお、ログイン確認は、ネットワークを介して発注先と行うことに限定されず、例えば、ユーザ端末内でのみ行うことも可能である。 
【００４４】
（８）ログイン情報保持ステップ１８
本発明に係る有価証券発注方法１では、よりユーザの作業負担を軽減するために、ユーザＩＤやパスワード等のログイン情報を保持するステップ１７を行うことができる。ログイン情報保持ステップ１７を行う順番も特に限定されず、ログイン画面表示ステップ１６を行い、ユーザによるユーザＩＤやパスワード等の入力が行われた後であれば、どの段階で行うことも自由である。
【００４５】
ログイン情報保持ステップ１７を行うことで、例えば、オンライン取引中に、発注先とのセッションが切れた場合に、自動的にログインすることも可能になり、よりユーザの作業負担の軽減を図ることができる。
【００４６】
（９）レイアウト保持ステップ１９
本発明に係る有価証券発注方法１では、オンライン取引終了時のベースウィンドウＢ上の各ウェブサイト等のレイアウトを保持するためのレイアウト保持ステップ１９を行うことができる。レイアウト保持ステップ１９を行うことで、次回のオンライン取引の際に、ウェブサイト表示ステップ１２をベースウィンドウ表示ステップ１１と同時に自動的に行うことが可能となる。
【００４７】
なお、レイアウト保持ステップ１９では、銘柄情報を有するウェブサイトＷ１のみならず、有価証券取引には関係のない任意の１又は２以上のウェブサイトｕ１を、記憶しておくことも自由である。
【００４８】
＜有価証券発注プログラム＞
本発明に係る有価証券発注プログラムは、前述した本発明に係る有価証券発注方法を、コンピュータによって実現させるためのプログラムである。より具体的には、本発明に係る有価証券発注プログラムは、（１）ベースウィンドウ表示機能と、（２）ウェブサイト表示機能と、（３）任意の銘柄情報を選択可能とする機能と、（４）数字コード抽出機能と、（５）数字コード転送機能と、をコンピュータによって実現させるためのプログラムである。以下、それぞれの機能について、詳細に説明する。
【００４９】
（１）ベースウィンドウ表示機能
ベースウィンドウ表示機能は、少なくともオンライン取引を行うための注文用アイコンＯを有するベースウィンドウＢを、前記ユーザ端末に表示する機能である。ベースウィンドウＢの一例は、前述した図２の通りである。
【００５０】
本発明に係る有価証券発注プログラムには、必須ではないが、カレンダー形式等の自由に予定やメモを登録できるツールや、様々なＲＳＳ（RDF Site Summary）フィードを購読可能なツール等を備えることができる。ベースウィンドウ表示機能には、これらのツールを立ち上げるための各種アイコンＡを（図２参照）、ベースウィンドウＢ上に表示させる機能を備えることも自由である。
【００５１】
（２）ウェブサイト表示機能
ウェブサイト表示機能は、ベースウィンドウＢ上に、銘柄情報を有するウェブサイトを表示させる機能である。
【００５２】
ベースウィンドウＢ上に表示させるウェブサイトＷ１は、銘柄コード又は銘柄名が表示されているウェブサイトであれば、特に限定されない。一例としては、刻々と変化する株価情報等を提供する各種マーケット情報サイトや、各証券会社のウェブサイトなどを挙げることができる。
【００５３】
また、ウェブサイト表示機能には、図２に示すように単数のウェブサイトＷ１をベースウィンドウＢ上に表示させる機能に限らず、例えば図３及び図４に示すように、複数のウェブサイトＷ１、Ｗ２、Ｗ３を同時に表示させる機能を備えることも可能である。銘柄情報を有数する複数のウェブサイトＷ１、Ｗ２、Ｗ３等を表示させることにより、投資家は、より多くの情報を元に、取引銘柄を決定することが可能となる。
【００５４】
なお、ウェブサイト表示機能には、銘柄情報を有するウェブサイトＷ１、Ｗ２、Ｗ３等をベースウィンドウＢ上に表示させる機能のみならず、有価証券取引には関係のない任意の１又は２以上のウェブサイトｕ１を表示させる機能を備えることも自由である。
【００５５】
（３）任意の銘柄情報を選択可能とする機能
本発明に係る有価証券発注プログラムは、ウェブサイト表示機能によって表示されたウェブサイトＷ１、Ｗ２、Ｗ３中の任意の銘柄情報を、ベースウィンドウＢ上の注文用アイコンＯを介して選択可能とする機能を有する。
【００５６】
任意の銘柄情報を選択可能とする機能は、ベースウィンドウＢ上の注文用アイコンＯを介して選択可能とする機能であれば、特に限定されない。具体的な一例としては、任意の銘柄名や銘柄コード、あるいは、銘柄名や銘柄コードにはられているリンク等のユーザによるクリック又はカーソル反転等を受けて、銘柄名、銘柄コード、又はリンク情報をメモリに一旦保持し、ユーザによるベースウィンドウＢ上の注文用アイコンＯへのクリック又はドラッグアンドドロップ等の処理を受けて、任意の銘柄情報を選択状態とする機能が挙げられる。
【００５７】
従来、情報入手するためのウェブサイトと、実際に取引を行うウェブサイトが異なる場合、情報を入手するためのウェブサイト上に銘柄情報が表示されているにも関わらず、このウェブサイトとは別に、取引を行うための証券会社等のウェブサイトを立ち上げ、取引用のウェブサイトで目的の銘柄情報を再度表示させた上で、このサイトのオンライン取引機能を利用して、実際の取引を行う必要があった。
【００５８】
しかし、本発明に係る発注プログラムを用いれば、銘柄情報を表示させたウェブサイト上の機能ではなく、ベースウィンドウＢ上の注文用アイコンを介して発注を行うことができるため、銘柄情報を有するウェブサイトであれば、あらゆるウェブサイト上の銘柄情報を用いて、直接オンライン取引を行うことができ、オンライン取引に関わる作業が簡略化でき、オンライン取引に関わる作業時間を大幅に短縮することが可能である。
【００５９】
（４）数字コード抽出機能
数字コード抽出機能は、ユーザによって選択された任意の銘柄情報を解析して４桁又は５桁の数字コードを抽出する機能である。より具体的には、数字コード抽出機能は、ユーザによって選択された任意の銘柄情報中に含まれる４桁又は５桁の数字コードを、実際の銘柄コードに一致するか否かに関わらず抽出する機能である。
【００６０】
数字コード抽出機能による抽出方法は特に限定されないが、例えば、まず、ユーザによって選択された銘柄情報が、銘柄コードであるか、銘柄名であるか、又はリンク情報であるかを解析し、銘柄コードである場合には、この銘柄コードをそのまま４桁又は５桁の数字コードとして抽出し、リンク情報である場合には、リンク情報に含まれる各種パラメータを解析することにより４桁又は５桁の数字コードを抽出する方法を採用することができる。
【００６１】
この結果、銘柄名のみしか抽出できなかった場合には、例えば、外部の情報ベンダー等にネットワークを通してアクセスする機能を備えることにより、外部より銘柄コードを取得したり、予め、銘柄名と銘柄コードを格納したデータベースをユーザ端末内に格納させておき、該データベースと照合することにより銘柄コードを取得したりすることにより、４桁又は５桁の数字コードを抽出することも可能である。
【００６２】
（５）数字コード転送機能
数字コード転送機能は、数字コード抽出機能によって抽出された４桁又は５桁の数字コードを、発注先へネットワークを介して転送させる機能である。
【００６３】
本発明に係る有価証券発注プログラムは、以上説明した（１）〜（５）の機能を、コンピュータによって実現させるためのプログラムであるが、必要に応じて、（６）ログイン画面表示機能、（７）ログイン情報送信機能、（８）ログイン情報保持機能、（９）レイアウト保持機能、をコンピュータによって実現させることも可能である。
【００６４】
（６）ログイン画面表示機能
本発明に係る有価証券発注プログラムは、よりセキュリティを強化するためにログイン画面表示機能をコンピュータによって実現させることも可能である。例えば、ユーザによるログインが確認できなければ、ベースウィンドウＢを表示させることができないように制御するために、ベースウィンドウ表示機能をコンピュータによって実現させる前に、コンピュータによってログイン画面を表示させることができる。
【００６５】
なお、コンピュータによってログイン画面を表示させるのは、注文を確定させる前段階であれば、どの段階で行うことも自由である。セキュリティの問題を考慮すると、ベースウィンドウＢを表示させる前か、少なくとも４桁又は５桁の数字コードを転送させる前に行うことが好ましい。
【００６６】
（７）ログイン情報送信機能
本発明に係る有価証券発注プログラムは、ユーザにより入力されたユーザＩＤやパスワード等のログイン情報を、コンピュータによってネットワークを介して発注先へ送信させることもできる。コンピュータによってログイン情報を発注先へ送信させるのは、コンピュータによってログイン画面を表示させ、ユーザによるユーザＩＤやパスワード等の入力が行われた後であれば、どの段階で行うことも自由である。
【００６７】
なお、ログイン確認は、ネットワークを介して発注先と行うことに限定されず、例えば、ユーザ端末内でのみ行うことも可能である。
【００６８】
（８）ログイン情報保持機能
本発明に係る有価証券発注プログラムは、よりユーザの作業負担を軽減するために、ユーザＩＤやパスワード等のログイン情報を、コンピュータによって記憶させておくこともできる。
【００６９】
ログイン情報保持機能を有することで、例えば、オンライン取引中に、発注先とのセッションが切れた場合に、自動的にログインすることも可能になり、よりユーザの作業負担の軽減を図ることができる。
【００７０】
（９）レイアウト保持機能
本発明に係る有価証券発注プログラムは、オンライン取引終了時のベースウィンドウＢ上の各ウェブサイト等のレイアウトを、コンピュータによって記憶させておくこともできる。レイアウト保持機能を有することで、次回のオンライン取引の際に、ウェブサイト表示とベースウィンドウ表示とを、同時に自動的に行うことが可能となる。
【００７１】
なお、レイアウト保持機能では、銘柄情報を有するウェブサイトＷ１のみならず、有価証券取引には関係のない任意の１又は２以上のウェブサイトｕ１を、コンピュータによって記憶させておくことも自由である。
【００７２】
＜有価証券取引方法＞
図８は、本発明に係る有価証券取引方法１０のフロー図である。本発明に係る有価証券取引方法は、ユーザが操作するユーザ端末と、該ユーザ端末とネットワークを介して接続されたサーバと、を備えるコンピュータシステムによって、有価証券の取引を行う有価証券取引方法であって、（１）ベースウィンドウ表示ステップ１１と、（２）ウェブサイト表示ステップ１２と、（３）銘柄情報選択ステップ１３と、（４）数字コード抽出ステップ１４と、（５）数字コード転送ステップ１５と、を少なくともユーザ端末で行い、（１０）数字コード受信ステップ１０１と、（１１）マッチングステップ１０２と、（１２）エラー送信ステップ１０３と、（１３）有価証券情報取得ステップ１０４と、（１４）株価情報取得ステップ１０５と、（１５）有価証券情報送信ステップ１０６と、を少なくともサーバで行う方法である。以下、それぞれのステップについて、詳細に説明する。なお、（１）〜（５）のユーザ端末で行うステップは、前述した本発明に係る有価証券発注方法と同一であるためここでは説明を割愛する。
【００７３】
（１０）数字コード受信ステップ１０１
数字コード受信ステップ１０１は、ユーザ端末での数字コード転送ステップ１５において転送された４桁又は５桁の数字コードをサーバによって受信するステップである。この数字コード受信ステップ１０１では、数字コード転送ステップ１５において転送された４桁又は５桁の数字コードを、実際の銘柄コードに一致するか否かに関わらず、サーバが受信する。
【００７４】
なお、ユーザ端末でのステップにおいて、ログインがされている場合には、数字コード受信ステップ１０１を行う際、ユーザ端末とサーバとのセッションが切れていないか確認を行い、切れている場合には、ユーザに対して再ログインを促したり、ユーザ端末に記憶されているログイン情報を用いて自動ログインを行うことも可能である。
【００７５】
（１１）マッチングステップ１０２
マッチングステップ１０２は、数字コード受信ステップ１０１において受信した４桁又は５桁の数字コードが、実際の銘柄コードと一致するか否かをマッチングするステップである。より具体的には、サーバ上に、銘柄コードを含む有価証券情報を有するデータベースを予め格納しておき、このデータベース内の銘柄コードと、受信した４桁又は５桁の数字コードとのマッチングを行う。
【００７６】
（１２）エラー送信ステップ１０３
エラー送信ステップ１０３は、マッチングステップ１０２によってマッチングできなかった場合に、エラーをユーザ端末にネットワークを介して送信するステップである。即ち、ユーザ端末から受信した４桁又は５桁の数字コードが、単なる数字の羅列であるなど、既存の銘柄コードとは一致しない場合には、取引対象となる銘柄を特定することができないため、エラーをユーザ端末に送信し、再度ユーザ端末において銘柄情報選択ステップ１３からやり直すこととなる。
【００７７】
（１３）有価証券情報取得ステップ１０４
有価証券情報取得ステップ１０４は、マッチングステップ１０２においてマッチングできた場合に、マッチングした銘柄コードに基づいて前記データベースから有価証券情報を取得するステップである。
【００７８】
（１４）株価情報取得ステップ１０５
株価情報取得ステップ１０５は、有価証券情報取得ステップ１０４において取得した有価証券情報に関し、現在の株価や前日比等の現在の株価情報をネットワークを介して情報ベンダーより取得するステップである。
【００７９】
（１５）有価証券情報送信ステップ１０６
有価証券情報送信ステップ１０６は、株価情報取得ステップ１０５において取得した株価情報と前記有価証券情報を、ユーザ端末にネットワークを介して送信するステップである。
【００８０】
ユーザは、ウェブサイト表示ステップ１２においてユーザ端末に表示された様々なウェブサイトに掲載された銘柄情報により、株価情報も取得している場合が多いが、株価等は刻々と変化するものであるため、取引確定の際に最新の情報をユーザが把握できるように、株価情報取得ステップ１０５及び有価証券情報送信ステップ１０６を行う。
【００８１】
以上のステップをサーバで行った後、以下の（１６）有価証券情報受信ステップ１０７と、（１７）注文画面表示ステップ１０８と、（１８）注文条件送信ステップ１０９と、をユーザ端末で行い、（１９）注文受付ステップ１１０と、（２０）注文執行処理ステップ１１１と、をサーバ端末で行う。
【００８２】
（１６）有価証券情報受信ステップ１０７
有価証券情報受信ステップ１０７は、有価証券情報送信ステップ１０６においてサーバから送信された株価情報及び有価証券情報を、ユーザ端末によって受信するステップである。
【００８３】
（１７）注文画面表示ステップ１０８
注文画面表示ステップ１０８は、有価証券情報受信ステップ１０７において、ユーザ端末が受信した株価情報及び有価証券情報を、ユーザ端末に表示するステップである。注文画面の一例を図９中の二重円中に示す。株価情報及び有価証券情報を、ユーザ端末に表示することにより、ユーザは、取引確定の際に最新の情報を把握することができる。
【００８４】
（１８）注文条件送信ステップ１０９
注文条件送信ステップ１０９は、ユーザによって決定された注文数量や指値等の注文条件を、ユーザ端末にネットワークを介して送信するステップである。
【００８５】
（１９）注文受付ステップ１１０
注文受付ステップ１１０は、注文条件送信ステップ１０９において、ユーザ端末から送信された注文条件を、サーバが受信し受け付けるステップである。
【００８６】
この際、図示しないが、万全を期すために、注文受付した内容をサーバからネットワークを介してユーザ端末に送信するステップと、ユーザによって確認された内容を再度、ユーザ端末からネットワークを介してサーバに送信するステップと、を追加して行うこともできる。
【００８７】
（２０）注文執行処理ステップ１１１
注文執行処理ステップ１１１は、注文受付ステップ１１０において受信した注文条件に従って、各取引所への執行処理を行うステップである。この注文執行処理ステップ１１１を行うことにより、オンライン取引が確定される。
【図面の簡単な説明】
【００８８】
【図１】本発明に係る有価証券発注方法１のフロー図である。
【図２】本発明に係る有価証券発注方法１のベースウィンドウ表示ステップ１１において、ユーザ端末に表示されたベースウィンドウＢの一例を示す図である。
【図３】本発明に係る有価証券発注方法１のウェブサイト表示ステップ１２において、ユーザ端末に表示されたベースウィンドウＢの一例を示す図である。
【図４】本発明に係る有価証券発注方法１のウェブサイト表示ステップ１２において、ユーザ端末に表示されたベースウィンドウＢの一例を示す図である。
【図５】本発明に係る有価証券発注方法１の銘柄情報選択ステップ１３における選択方法の一例を示す図面である。
【図６】本発明に係る有価証券発注方法１の銘柄情報選択ステップ１３における選択方法の一例を示す図面である。
【図７】本発明に係る有価証券発注方法１の銘柄情報選択ステップ１３における選択方法の一例を示す図面である。
【図８】本発明に係る有価証券取引方法１０のフロー図である。
【図９】本発明に係る有価証券取引方法１０の注文画面表示ステップ１０８において、ユーザ端末に表示された注文画面の一例を示す図面である。
【符号の説明】
【００８９】
１  有価証券発注方法
１１  ベースウィンドウ表示ステップ
１２  ウェブサイト表示ステップ
１３  銘柄情報選択ステップ
１４  数字コード抽出ステップ
１５  数字コード転送ステップ
１６  ログイン画面表示ステップ
１７  ログイン情報送信ステップ
１８  ログイン情報保持ステップ
１９  レイアウト保持ステップ
１０  有価証券取引方法
１０１  数字コード受信ステップ
１０２  マッチングステップ
１０３  エラー送信ステップ
１０４  有価証券情報取得ステップ
１０５  株価情報取得ステップ
１０６  有価証券情報送信ステップ
１０７  有価証券情報受信ステップ
１０８  注文画面表示ステップ
１０９  注文条件送信ステップ
１１０  注文受付ステップ
１１１  注文執行処理ステップ
【図８】
2010009162.tif 000003
【図１】
2010009162.tif 000004
【図２】
2010009162.tif 000005
【図３】
2010009162.tif 000006
【図４】
2010009162.tif 000007
【図５】
2010009162.tif 000008
【図６】
2010009162.tif 000009
【図７】
2010009162.tif 000010
【図９】
2010009162.tif 000011